(57)【要約】【課題】防湿材にて液晶表示器を密閉する場合において、防湿材の液晶表示器表面への付着および内部侵入を防止し、視認性を確保できる洗濯機を提供する。【解決手段】洗濯物を収容する洗濯槽と、この洗濯槽を内包する外槽と、運転内容を選択する操作部と、この操作部で選択された運転内容を表示する液晶表示器を備え、前記液晶表示部は、バックライト光源を有するバックライトケースと、このバックライトケースの上面側に設けられた液晶素子を具備し、前記バックライトケースの下部を防湿材で密閉する洗濯機において、前記バックライトケースの鉛直壁面の角部に隆起部を設けて、前記防湿材を注入する際に前記防湿材が這い上がるのを防ぐ。【選択図】  図６
2013085730.tif 000002
【特許請求の範囲】
【請求項１】
洗濯物を収容する洗濯槽と、この洗濯槽を内包する外槽と、運転内容を選択する操作部と、この操作部で選択された運転内容を表示する液晶表示器を備え、前記液晶表示部は、バックライト光源を有するバックライトケースと、このバックライトケースの上面側に設けられた液晶素子を具備し、前記バックライトケースの下部を防湿材で密閉する洗濯機において、前記バックライトケースの鉛直壁面の角部に隆起部を設けて、前記防湿材を注入する際に前記防湿材が這い上がるのを防いだことを特徴とする洗濯機。
【請求項２】
洗濯物を収容する洗濯槽と、この洗濯槽を内包する外槽と、運転内容を選択する操作部と、この操作部で選択された運転内容を表示する液晶表示器を備え、前記液晶表示部は、バックライト光源を有するバックライトケースと、このバックライトケースの上面に設けられた液晶素子を具備し、前記バックライトケースの下部を防湿材で覆う洗濯機において、前記バックライトケースの鉛直壁面で囲まれる角部を曲面状に形成したことを特徴とする洗濯機。
【請求項３】
洗濯物を収容する洗濯槽と、この洗濯槽を内包する外槽と、運転内容を選択する操作部と、この操作部で選択された運転内容を表示する液晶表示器を備え、前記液晶表示部は、バックライト光源を有するバックライトケースと、このバックライトケースの上端の可動爪で固定された液晶素子を有し、前記バックライトケースの下部を防湿材で密閉する洗濯機において、前記可動爪及びその両脇に形成される切込みの外側にカバーを設けたことを特徴とする洗濯機。
【発明の詳細な説明】
【技術分野】
【０００１】
本発明は、衣類等の洗濯を行う洗濯機に関するものである。
【背景技術】
【０００２】
洗濯機や洗濯乾燥機の表示装置は、「洗濯」以外に「洗濯・乾燥」，「乾燥」等の複数の運転モードがある場合は、運転モードを選択する押圧操作部付近に発光素子が配置され、どの運転モードが設定されているかを視認できるようにしている。また、運転状態や、残時間，すすぎ回数，脱水時間その他の時間回数設定など、運転内容を表示するものとして、ＬＥＤや７セグメントＬＥＤ等の発光素子が組み込まれているが、近年では液晶表示器が洗濯機や洗濯乾燥機に組み込まれている。
【０００３】
しかしながら、水気や湿気の多い環境下で利用される洗濯機や洗濯乾燥機の表示装置は、防湿構造として操作パネルで密閉された空間内に備えられている。さらに、温度変化等により発生する結露の制御基板への接触を防ぐため、ウレタン樹脂等の防湿材により封止されている。特に、液晶表示器は水分に弱い部品であるので、表面および内部に水分が浸入しないような構造が必要となる。
【０００４】
特許文献１では、液晶表示器の周囲に配置した成型品にパッキンを設け、上方からリブのついた操作パネルをかぶせることで、成型品とリブとがパッキンを挟んで、密閉された空間を構成している。また、液晶表示器の下部は、防湿材にて密閉している。
【０００５】
特許文献２では、液晶表示器を透明ケース内に備え、かつ、透明ケースの下部を防湿材にて封止することで、液晶表示器表面および内部への水分浸入を防いでいる。
【０００６】
特許文献３では、パッキンを備えた液晶カバーと、前記液晶カバーに収納され、液晶素子を挿入する液晶ケースの二段構造により構成されており、上面はパッキンと操作パネルにより密閉されている。また、液晶素子の下部は、液晶カバーの開口部のみを防湿材にて密閉するだけで良い。
【先行技術文献】
【特許文献】
【０００７】
【特許文献１】特開２０１１−０３０９１０号公報
【特許文献２】特開２００９−１８９６７８号公報
【特許文献３】特開２００８−１８３０５０号公報
【発明の概要】
【発明が解決しようとする課題】
【０００８】
上記特許文献１に記載された液晶表示器の場合、液晶表示器とパッキンを備えた成型品との距離が近接している場合、防湿材が毛細管現象で液晶表示器と成型品間を這い上がり、液晶表示器の表面に付着する可能性がある。また、液晶表示器において、バックライト光源を備えたバックライトケースに可動爪を備え、前記可動爪で液晶素子を固定している場合、成型上、前記可動爪の両脇に切込みが生じる。この切込みから、毛細管現象で這い上がった防湿材が液晶素子内部に浸入し、表示不具合となる可能性がある。さらに、バックライトケース内側の各コーナーから、毛細管現象により防湿材が這い上がり、液晶表示装置内部へつながる開口部へ侵入し、表示不具合となる可能性がある。
【０００９】
特許文献２に記載された液晶表示器の場合においても、液晶表示器と透明ケースとの距離が近接している場合、前記防湿材の這い上がり現象が生じる可能性がある。
【００１０】
特許文献３に記載された液晶表示器の場合、液晶素子を液晶ケースに取り付け、液晶カバーで収納する二重構造のため、液晶素子自体への防湿材浸入のリスクは軽減できるが、構造が複雑化し、部品点数も増加するため、組み立て性が悪化する。
【００１１】
本発明の目的は、防湿材にて液晶表示器を密閉する場合において、防湿材の液晶表示器表面への付着および内部侵入を防止し、視認性を確保できる洗濯機を提供することにある。
【課題を解決するための手段】
【００１２】
上記の目的を達成するために、本発明は、洗濯物を収容する洗濯槽と、この洗濯槽を内包する外槽と、運転内容を選択する操作部と、この操作部で選択された運転内容を表示する液晶表示器を備え、前記液晶表示部は、バックライト光源を有するバックライトケースと、このバックライトケースの上面側に設けられた液晶素子を具備し、前記バックライトケースの下部を防湿材で密閉する洗濯機において、前記バックライトケースの鉛直壁面の角部に隆起部を設けて、前記防湿材を注入する際に前記防湿材が這い上がるのを防いだものである。
【発明の効果】
【００１３】
本発明によれば、防湿材の液晶表示器表面への付着および内部侵入を防止し、視認性を確保できる洗濯機を提供できる。
【図面の簡単な説明】
【００１４】
【図１】第１実施例を示す洗濯乾燥機の斜視図である。
【図２】図１の洗濯乾燥機の操作・表示部の正面図である。
【図３】図２の操作・表示部の展開図である。
【図４】図２の操作・表示部の概略断面図である。
【図５】図３の液晶表示器における防湿材注入時の防湿材這い上がりの様子を示す図である。
【図６】第１実施例における防湿材の這い上がり防止方法を示す図である。
【図７】第２実施例における防湿材の這い上がり防止方法を示す図である。
【図８】第３実施例における防湿材の這い上がり防止方法を示す図である。
【図９】第４実施例における防湿材の這い上がり防止方法を示す図である。
【図１０】第５実施例における防湿材の這い上がり防止方法を示す図である。
【図１１】第６実施例における防湿材の這い上がり防止方法を示す図である。
【図１２】図３の液晶表示器における防湿材の内部浸入の様子を示す図である。
【図１３】第７実施例における防湿材の内部浸入の防止方法を示す図である。
【図１４】図３の液晶表示器における内角コーナーからの防湿材の這い上がりを示す図である。
【図１５】図３の液晶表示器における電極部からの防湿材の這い上がりを示す図である。
【図１６】第８実施例における内角コーナーからの防湿材の這い上がり防止方法を示す図である。
【図１７】第８実施例における電極部の防湿材の這い上がり対策を示す図である。
【図１８】第９実施例における内角コーナーからの防湿材の這い上がり防止方法を示す図である。
【図１９】第９実施例における電極部の防湿材の這い上がり対策を示す図である。
【発明を実施するための形態】
【００１５】
以下、本発明の実施形態に係わる実施例について、図を引用して説明する。
【００１６】
図１は、本発明の第１の実施例を示す洗濯乾燥機の斜視図である。ベース１の底部にはゴムを挿入した脚部２が四隅に配置されている。また、ベース１の上部には、鋼板と樹脂成型品が組み合わされて構成された外枠３が載せられている。外枠３の正面には洗濯物を出し入れするドア４が設けられ、押しボタン５により開閉操作が可能に構成されている。また、外枠３の上面部には洗剤トレー６，乾燥用フィルタ７が左右に取り付けられている。これらの間には操作・表示部８が設けられている。また、乾燥用フィルタ７の下方には電源投入用の「入」スイッチ９，電源遮断用の「切」スイッチ１０が配設されている。更に、図示していないが、外枠３の内部には、洗濯物を収容する洗濯槽と、この洗濯槽を内包する外槽を有している。
【００１７】
図２は、図１の洗濯乾燥機の操作・表示部８の正面図を示すものである。操作・表示部８は、運転内容を選択する押圧操作部１１と、押圧操作部１１で選択された運転内容を表示する運転内容表示部１２と、これらと組み付けられる操作パネル１３を有している。運転内容表示部１２は、各運転内容を印字した印字シート１４を備えている。印字シート１４は、運転コース等の運転内容が印字されており、下部に発光素子１９を備え、発光素子１９の光を透過することで、該当する表示内容を照明する。
【００１８】
ここで、本実施例における「運転内容」とは、「運転モード」，「運転コース」及び「詳細設定」を示す。「運転モード」は、「洗濯」，「洗濯乾燥」，「乾燥」の中からボタンによって選択されるものである。「運転コース」は、「標準」，「念入り」，「毛布」などのコースからなり、「運転モード」の種別に応じて、選択できる「運転コース」は異なっている。「詳細設定」は、洗い，すすぎ，脱水及び乾燥等の工程毎に調整可能な条件であり、「洗い時間」，「すすぎ回数」，「脱水時間」及び「乾燥時間」である。尚、電源の投入時には、前回最後に利用した「運転モード」，「運転コース」及び「詳細設定」が、運転内容表示部１２に表示される。
【００１９】
図３は、図２で示した操作・表示部８の展開図である。この図３の通り、操作・表示部８は、上述の押圧操作部１１，運転内容表示部１２及び操作パネル１３の他、操作パネル１３の下方に制御コントローラ１５を備えている。この制御コントローラ１５は、基板ケース１６と、基板ケース１６上に配置した基板１７と、基板１７上に配置した操作・表示ガイド１８により構成されている。
【００２０】
図４は、図２で示した操作・表示部８の概略断面図であり、この図４を用いて、更に詳細に説明する。本実施例の運転内容表示部１２は、操作・表示ガイド１８の上部に設置される印字シート１４と、この印字シート１４の各運転内容の印字の裏面側にそれぞれ設けられ押圧操作部１１で選択された運転内容の印字を光らせる発光素子１９を備えている。押圧操作部１１の下方には、操作スイッチ２０が配置されている。また、印字シート１４の下には、「詳細設定」等の内容を表示する液晶表示器２１を備えている。この液晶表示器２１は、液晶，電極，配向膜，偏光板等から構成される液晶素子２２と、バックライト光源を備えたバックライトケース２３から構成される。バックライトケース２３の上面側には、窪み部が形成されて液晶素子２２を支持しており、バックライトケース２３の下方の内部は空間が設けられている。
【００２１】
この液晶表示器２１は、水分に弱いため、液晶表示器２１の外周を囲むように、操作・表示ガイド１８上に、パッキン２４を備え、操作パネル１３に備えた密閉用リブ２５を上方から挟み込むことで液晶表示器２１表面を密閉している。また、制御コントローラ１５内のバックライトケース２３の下方の空間などには、防湿材２６で覆われており、液晶表示器２１の下部は、防湿材２６により密閉されている。
【００２２】
図５は、本構成において、液晶表示器２１の外壁からの防湿材２６の這い上がりの様子を示している。防湿材２６の注入箇所２７から防湿材２６を注入すると、液晶表示器２１と操作・表示ガイド１８が近接している場合、毛細管現象による防湿材２６の這い上がり２８が発生し、液晶表示器２１の上端面に達し、液晶素子２２表面に防湿材２６が付着すると、表示不具合となる。
【００２３】
図６は、本実施例における毛細管現象による防湿材２６の這い上がり防止方法を示すものである。液晶表示器２１のバックライトケース２３側面にリブ２９を設け、バックライトケース２３の側壁と操作・表示ガイド１８の側壁とで挟まれる空間に凸部を形成することにより、バックライトケース２３と操作・表示ガイド１８とが近接している場合でも、毛細管現象による防湿材２６の這い上がりを抑えることができる。その結果、防湿材２６による表示不具合を生じさせることなく、液晶表示器２１と操作・表示ガイド１８とを近接させることができ、洗濯乾燥機の省スペース化にも寄与する。
【００２４】
図７は、本発明の第２実施例を示すもので、毛細管現象による防湿材２６の這い上がり２８が発生し、液晶表示器２１の上面まで到達しても、液晶素子２２に防湿材２６が付着することを防止する方法を表している。バックライトケース２３の周囲の上面に段差形状３０を設けることで、段差形状３０より上面では、操作・表示ガイド１８との距離が大きくなり、毛細管現象が抑制され、液晶素子２２まで防湿材２６が到達することは無い。
【００２５】
図８は、本発明の第３実施例を示すもので、毛細管現象による防湿材２６の這い上がり２８が発生し、液晶表示器２１の上面まで到達しても、液晶素子２２に防湿材２６が付着することを防止する方法を表している。バックライトケース２３の上面に傾斜形状３１を設けることで、傾斜形状３１より上面では、操作・表示ガイド１８との距離が大きくなり、毛細管現象が抑制され、液晶素子２２まで防湿材２６が到達することは無い。
【００２６】
図９は、本発明の第４実施例を示すもので、毛細管現象による防湿材２６の這い上がり２８が発生し、液晶表示器２１の上面まで到達しても、液晶素子２２に防湿材２６が付着することを防止する方法を表している。バックライトケース２３の上面に窪み形状３２を設けることで、上面まで防湿材２６が到達しても、窪み形状３２でせき止め、液晶素子２２まで防湿材２６が到達することは無い。
【００２７】
さらに、図１０に示す第５実施例のように、バックライトケース下部３３を上部より内側に設けることで、毛細管現象による防湿材２６の這い上がり２８を抑えることができ、かつ、上面まで防湿材２６が到達しても、窪み形状３２で防湿材をせき止め、液晶素子２２まで防湿材２６が到達することは無い。このように、液晶素子２２の周囲に位置するバックライトケース２３の外周側上面に、凹凸を設けることで、防湿材２６の這い上がるのを防ぐ。
【００２８】
また、図１１に示す第６実施例のように、バックライトケース２３に備えた窪み形状３２内にパッキン２４を設けることで、液晶表示器２１と操作パネル１３のみで密閉構造を構成することもできる。
【００２９】
図１２は、バックライトケース２３の上端に、液晶素子２２を固定する可動爪３４を有する場合の液晶表示器２１の構造を示すものである。この場合、毛細管現象による防湿材２６の這い上がり２８が発生すると、可動爪３４の両脇に形成された切込み３５から液晶素子２２内部や、液晶素子２２とバックライトケース２３の間に防湿材２６が侵入し、表示不具合となる可能性がある。
【００３０】
図１３は、本発明の第７実施例を示すもので、可動爪３４の両脇の切込み３５から液晶表示器２１内部へ防湿材２６が浸入するのを防止する方法を表している。バックライトケース２３に設けられた可動爪３４および切込み３５の外側を覆うように、カバー３６を貼り付けることで、防湿材２６の浸入を防止している。なお、カバー３６は使用環境に合わせて選定する必要がある。液晶素子２２を固定する爪が固定爪であり、切込み３５が無い場合は、防湿材２６の浸入は無く、カバー３６が不要であることは言うまでも無い。
【００３１】
図１４は、バックライトケース２３が有する内角コーナー３７から毛細管現象により防湿材２６が這い上がる様子を示している。このように、バックライトケース２３の鉛直壁面で囲まれて角部が形成されている箇所では、毛細管現象により防湿材２６が這い上がり、液晶表示器２１の内部につながる開口部３８から浸入して表示不具合を発生させる可能性がある。
【００３２】
また、図１５のように、バックライトケース２３において、液晶素子２２に接続される電極３９部のコーナー４０についても、毛細管現象により防湿材２６が這い上がり、液晶表示器２１内部に浸入して表示不具合を生じさせる可能性がある。
【００３３】
図１６は、本発明の第８実施例を示すもので、内角コーナー３７からの防湿材２６の這い上がりを防止する方法を表している。バックライトケース２３の鉛直壁面で囲まれる角部をＲ形状４１化することで、毛細管現象が抑制され、防湿材２６の這い上がりが防止できる。また、垂直方向のみでなく、水平方向の内角コーナーについても、角部に隆起部を設けて曲面状に形成することで、水平方向への防湿材２６の広がりを抑制できる。
【００３４】
図１７においても、バックライトケース２３の外側にある鉛直壁面で囲まれる角部をＲ形状４２化することで、防湿材２６を注入する際に、防湿材２６が這い上がるのを防いでいる。
【００３５】
図１８は、本発明の第９実施例を示すもので、内角コーナー３７からの防湿材２６の這い上がりを防止する方法を表している。バックライトケース２３が有する内角コーナー３７にリブ４３を設けることで、毛細管現象による防湿材２６の這い上がりをせき止めることができる。
【００３６】
図１９においても、バックライトケース２３の外側にある鉛直壁面で囲まれるコーナー４０にリブ４４を設けることで、毛細管現象による防湿材２６の這い上がりをせき止めることができる。
【００３７】
以上の実施例では、パッキンと操作パネルによる密閉方法に関して説明したが、密閉方法は問わずに適用可能である。
【００３８】
以上の実施例では、液晶表示器に関して説明したが、操作スイッチへの防湿材侵入や、７セグメントＬＥＤ表面への防湿材這い上がりなど、他部品への防湿材浸入や這い上がりを防止する方法としても適用できる。
【００３９】
以上の実施例では、ドラム式の洗濯乾燥機の例を挙げて説明したが、縦型の洗濯機，縦型の洗濯乾燥機，乾燥機などの防湿材を充填させる表示装置にも適用できる。
【符号の説明】
【００４０】
８  操作・表示部
１１  押圧操作部
１２  運転内容表示部
１３  操作パネル
１４  印字シート
１５  制御コントローラ
１８  操作・表示ガイド
１９  発光素子
２０  操作スイッチ
２１  液晶表示器
２２  液晶素子
２３  バックライトケース
２４  パッキン
２５  密閉用リブ
２６  防湿材
２７  防湿材注入箇所
２８  這い上がり
２９，４３，４４  リブ
３０  段差形状
３１  傾斜形状
３２  窪み形状
３３  バックライトケース下部
３４  可動爪
３５  切込み
３６  カバー
３７  内角コーナー
３８  内部につながる開口部
３９  電極
４０  コーナー
４１，４２  Ｒ形状
【図１】
2013085730.tif 000003
【図２】
2013085730.tif 000004
【図３】
2013085730.tif 000005
【図４】
2013085730.tif 000006
【図５】
2013085730.tif 000007
【図６】
2013085730.tif 000008
【図７】
2013085730.tif 000009
【図８】
2013085730.tif 000010
【図９】
2013085730.tif 000011
【図１０】
2013085730.tif 000012
【図１１】
2013085730.tif 000013
【図１２】
2013085730.tif 000014
【図１３】
2013085730.tif 000015
【図１４】
2013085730.tif 000016
【図１５】
2013085730.tif 000017
【図１６】
2013085730.tif 000018
【図１７】
2013085730.tif 000019
【図１８】
2013085730.tif 000020
【図１９】
2013085730.tif 000021